(57)【要約】
【課題】電気通信ネットワークジャックと挿入ピンが形成する角度を制限するとともに、挿入ピンを保護する電気通信ネットワークジャックを提供する。
【解決手段】電気通信ネットワークジャックと、圧接チップとを含んでなり、該電気通信ネットワークジャックは、従来の電気通信ネットワークジャックの構造と略同様であるが、コンピュータに接続する端面の上方に斜めに延伸した挿入ピンと、該挿入ピンの下方に形成されたガイド溝と、該挿入ピンが延伸した先端の両側面上に形成された突起と、該突起の中心に形成された溝と、該突起に設けられる圧接チップとを具えてなり、該圧接チップは突起の中心に設けられて回転機能を具えて構成する。
【選択図】図２
0003100709.tif 000002
【実用新案登録請求の範囲】
【請求項１】
図面に示すとおり、一端をケーブル接続部とし、他端をコンピュータに接続するガイド溝を設け、該ガイド溝の上辺には、ケーブル接続部方向に向かって立ち上がり傾斜をなして配された挿入ピンを設けて成る電気通信ネットワークジャックに於て、電気通信ネットワークジャック本体のケーブル接続部側上の両端に軸孔を設けた突起を設けるとともに、該突起の軸孔に、回転軸を備えた圧接チップの回転軸を回動自在に軸支したことを特徴とする電気通信ネットワークジャック。
【請求項２】
前記突起は電気通信ネットワークジャックに形成された挿入ピンが延伸した先端の両側面上に形成され、圧接チップの軸の軸径よりも小さな口径の溝が形成されることを特徴とする電気通信ネットワークジャック。
【請求項３】
前記突起と圧接チップに設けられた軸は、相反性を具えて、相互を入れ替えて形成することもでき、即ち、突起を軸にして、圧接チップに突起を形成して組み合わせをすることもできることを特徴とする電気通信ネットワークジャック。
【考案の詳細な説明】
【技術分野】
【０００１】
本考案は、電気通信ネットワークジャックに関し、特にインターネットなどを使用するためにコンピュータのコネクタなどに差し込む電気通信ネットワークジャックに関する。
【背景技術】
【０００２】
現在、電気通信機器やネットワークデジタル製品関連はほとんど電気信号を送受信するインターフェイスコネクタを外部に具えている。よって、電気通信ネットワークを利用して電気信号でデータを送受信することができるとともに、コンピュータ、或いはデジタル製品内部のデータを読み書きしたり、受信したデータを保存したりすることができる。しかし、このような機能を行うためには必ず外部に電気通品ネットワークコネクタを具えなければならない。
【０００３】
従来の電気通信ネットワークジャックを図１に開示する。図示によれば、電気通信ネットワークジャック（A10）は、コンピュータに差し込む一端面の上方から斜め上方に延伸して設けられた挿入ピン（A1）と、該挿入ピン（A1）の下方に設けられたガイド溝（A2）と、他端に延伸したケーブル（A3）とを含んでなる。該挿入ピン（A1）は、コンピュータやデジタル製品のインターフェイスコネクタに挿入する電気通信ネットワークジャックを緊密に固定するために使用するとともに、弾力性を具え、角度を狭めたり、広げたり、すばやく角度を変化させて電気通信ネットワークジャックをコネクタに挿入する。
【０００４】
従来の電気通信ネットワークジャック（A10）は基本的な構造を変えることはできない。しかし、従来の電気通信ネットワークジャック（A10）の挿入ピン（A1）は長期間使用する場合、下記のような問題などが発生するため改良が必要である。
１．生産、運送、使用の際に束ねられたりして挿入ピン（A1）が変形したり、折れたりして電気通信ネットワークジャック（A10）全体が不良品となり、コストを無駄にする。電気通信ネットワークジャック（A10）がすでにケーブルの接続を完了した時に該挿入ピン（A1）が折れたり、変形した場合には、ケーブルも損傷しているとみなされ、製造コストに深刻な影響を与える。
２．従来の電気通信ネットワークジャック（A10）はコネクタと緊密に固定することをすべて挿入ピン（A1）でおこなっているため、挿入ピン（A1）が外力により湾曲したり、引っ張る力が強すぎた場合、電気通信ネットワークジャック（A10）と挿入ピン（A1）が形成する角度が大きすぎたり、小さすぎたりして、コネクタとの固定に問題が発生する。よって、該角度の変化を適宜に制限する必要がある。
３．従来の電気通信ネットワークジャック（A10）はコンピュータやデジタル製品のインターフェイスコネクタに接続後、挿入ピン（A1）は使用者がインターフェイスコネクタから電気通信ネットワークジャック（A10）を抜く場合に備えて適宜な長さをコネクタ外部に露出しなければならない。コネクタから引き抜く場合、使用者は該挿入ピン（A1）を押さえるため、使用者の指を傷つけるなど安全性にも問題がある。
【考案の開示】
【考案が解決しようとする課題】
【０００５】
この考案は、電気通信ネットワークジャックと挿入ピンが形成する角度を制限するとともに、挿入ピンを保護する電気通信ネットワークジャックを提供することを課題とする。
【課題を解決するための手段】
【０００６】
そこで、本発明者は従来の技術に見られる欠点に鑑み鋭意研究を重ねた結果、電気通信ネットワークジャックと、圧接チップとを含んでなり、該電気通信ネットワークジャックは、従来の電気通信ネットワークジャックの構造と略同様であるが、コンピュータに接続する端面の上方に斜めに延伸した挿入ピンと、該挿入ピンの下方に形成されたガイド溝と、該挿入ピンが延伸した先端の両側面上に形成された突起と、該突起の中心に形成された溝と、該突起に設けられる圧接チップとを具えてなり、該圧接チップは突起の中心に設けられて回転機能を具えた構造によって、本発明の課題を解決できる点に着眼し、かかる知見に基づいて本発明を完成させた。
【０００７】
以下、この発明について具体的に説明する。
請求項１に記載する電気通信ネットワークジャックと、圧接チップとを含んでなり、該電気通信ネットワークジャックは、従来の電気通信ネットワークジャックの構造と略同様であるが、コンピュータに接続する端面の上方に斜めに延伸した挿入ピンと、該挿入ピンの下方に形成されたガイド溝と、該挿入ピンが延伸した先端の両側面上に形成された突起と、該突起の中心に形成された溝と、該突起に設けられる圧接チップとを具えてなり、該圧接チップは突起の中心に設けられて回転機能を具えている。
【０００８】
請求項２に記載する電気通信ネットワークジャックは、請求項１に記載する突起が電気通信ネットワークジャックに形成された挿入ピンが延伸した先端の両側面上に形成され、圧接チップの軸の軸径よりも小さな口径の溝が形成される。
【０００９】
請求項３に記載する電気通信ネットワークジャックは、請求項１に記載する突起と圧接チップに設けられた軸が、相反性を具えて、相互を入れ替えて形成することもでき、即ち、突起を軸にして、圧接チップに突起を形成して組み合わせをすることもできる。
【考案の効果】
【００１０】
この考案の電気通信ネットワークジャックは、圧接チップが軸により突起に回動自在に設けられるため、該圧接チップと電気通信ネットワークジャックの上面が形成する角度は挿入ピンと電気通信ネットワークジャックの上面が形成する角度よりも大きい。よって挿入ピンの最大角度は制限されるとともに、圧接チップの下方に挿入ピンが設けられているため、圧接が湾曲したりすることがない。
【考案を実施するための最良の形態】
【００１１】
この考案は、電気通信ネットワークジャックと挿入ピンが形成する角度を制限するとともに、挿入ピンを保護する電気通信ネットワークジャックを提供するものであって、電気通信ネットワークジャックと、圧接チップとを含んでなり、該電気通信ネットワークジャックは、従来の電気通信ネットワークジャックの構造と略同様であるが、コンピュータに接続する端面の上方に斜めに延伸した挿入ピンと、該挿入ピンの下方に形成されたガイド溝と、該挿入ピンが延伸した先端の両側面上に形成された突起と、該突起の中心に形成された溝と、該突起に設けられる圧接チップとを具えてなり、該圧接チップは突起の中心に設けられて回転機能を具えて構成する。
かかる電気通信ネットワークジャックの特徴について具体的な実施例を挙げ、以下に詳述する。
【実施例１】
【００１２】
図２、３にこの考案の電気通信ネットワークジャックを開示する。図示によれば、電気通信ネットワークジャック（１）と、圧接チップ（２）とを含んでなり、該電気通信ネットワークジャック（１）は、従来の電気通信ネットワークジャックの構造と略同様であるが、挿入ピン（１１）と、ガイド溝（１２）など重要な構造を含んでなる。
【００１３】
この考案の電気通信ネットワークジャック（１）は、コンピュータに接続する端面の上方に斜めに延伸した挿入ピン（１１）と、該挿入ピン（１１）の下方に形成されたガイド溝（１２）と、該挿入ピン（１１）が延伸した先端の両側面上に形成された突起（１３）と、該突起（１３）の中心に形成された溝（１３１）と、該突起（１３）に設けられる圧接チップ（２）とを具えてなり、該圧接チップ（１３）は突起（１３）の中心に設けられて回転機能を具えている。
【００１４】
図３に、この考案の電気通信ネットワークジャック（１）に対称に形成された突起（１３）を開示する。図示によれば、該突起（１３）は挿入ピン（１１）が延伸した先端の両側面上に形成され、溝（１３１）を具えてなる。また、溝（１３１）の口径は圧接チップ（２）に突出して設けられた軸（２１）の軸径と略同じ大きさで、圧接チップ（２）を溝（１３１）に接続する場合、使用者は圧接チップ（２）の一方の軸（２１）を突起（１３）に差し込んだ後、もう一方の軸（２１）を突起（１３）に差し込む。即ち、圧接チップ（２）が電気通信ネットワークジャック（１）に対向して形成された突起（１３）に回動自在に接続される。
【００１５】
図４に、圧接チップ（２）の操作説明図を開示する。図示によれば、該圧接チップ（２）は、弧状を呈してなり、一端の両側に突出して形成された１組の軸（２１）と、他端の略中央に接触部（２２）を具えてなる。該軸（２１）は上述のように電気通信ネットワークジャック（１）の突起（１３）の内側に回動自在に設けられ、該圧接チップ（２）は溝（１３）を中心として前後に動かすことができる。
【００１６】
電気通信ネットワークジャック（１）と圧接チップ（２）は相対関係に設けられ、圧接チップ（２）を突起（１３）に回動自在に接続後、挿入ピン（１１）の先端上面は圧接チップ（２）の接触部（２２）に接触する。また、挿入ピン（１１）は張力を具えているため、下方から圧接チップ（２）を支持する。さらに、圧接チップ（２）は軸（２１）により突起（１３）に回動自在に設けられるため、該圧接チップ（２）と電気通信ネットワークジャック（１）がの上面が形成する角度は挿入ピン（１１）と電気通信ネットワークジャック（１）の上面が形成する角度よりも大きいため、挿入ピン（１１）の最大角度は制限される。圧接チップ（２）が形成する角度は挿入ピン（１１）が形成する最大角度と略等しくなる。圧接チップ（２）は下方に挿入ピン（１１）が設けられているため、湾曲したりすることがないとともに、圧接チップ（２）と挿入ピン（１１）は接触状態を保つ。
【００１７】
また、圧接チップ（２）と挿入ピン（１１）は、接触状態を保っているため、電気通信ネットワークジャック（１）がコンピュータやデジタル製品のインターフェイスコネクタ（３）に差し込む場合、挿入ピン（１１）の作用により圧接チップ（２）に対して何の作用も発生しないが、電気通信ネットワークジャック（１）を挿入後、圧接チップ（２）とコンピュータやデジタル製品のインターフェイスコネクタ（３）の面は適宜な距離を保つことができるとともに、インターフェイスコネクタ（３）面に接触したり、外れたりすることがない。挿入ピン（１１）がインターフェイスコネクタ（３）に差し込まれた時、圧接チップ（２）は挿入ピン（１１）の上方端縁部に接触している。挿入ピン（１１）をはずす場合、使用者は圧接チップ（２）を下方へ押すと、挿入ピン（１１）の形成する角度が小さくなり、インターフェイスコネクタ（３）からすばやくはずすことができるとともに、使用上便利で簡単である。
【図面の簡単な説明】
【００１８】
【図１】従来の電気通信ネットワークジャックを表す斜視図である。
【図２】この考案の電気通信ネットワークジャックを表す斜視図である。
【図３】図２に開示した電気通信ネットワークジャックを分解した斜視図である
【図４】図２に開示した電気通信ネットワークジャックの操作方法を表す側面図である。
【符号の説明】
【００１９】
１        電気通信ネットワークジャック
２        圧接チップ
３        インターフェイスコネクタ
１１      挿入ピン
１２      ガイド溝
１３      突起
２１      軸
２２      接触部
１３１    溝
【図１】
0003100709.tif 000003
【図２】
0003100709.tif 000004
【図３】
0003100709.tif 000005
【図４】
0003100709.tif 000006
【手続補正書】
【提出日】平成15年10月24日(2003.10.24)
【手続補正１】
【補正対象書類名】実用新案登録請求の範囲
【補正対象項目名】全文
【補正方法】変更
【補正の内容】
【実用新案登録請求の範囲】
【請求項１】
一端をケーブル接続部とし、他端をコンピュータに接続するガイド溝を設け、該ガイド溝の上辺には、ケーブル接続部方向に向かって立ち上がり傾斜をなして配された挿入ピンを設けて成る電気通信ネットワークジャックに於て、電気通信ネットワークジャック本体のケーブル接続部側上の両端に軸孔を設けた突起を設けるとともに、該突起の軸孔に、回転軸を備えた圧接チップの回転軸を回動自在に軸支したことを特徴とする電気通信ネットワークジャック。
【請求項２】
前記突起は、電気通信ネットワークジャックに形成された挿入ピンが延伸した先端の両側面上に形成され、圧接チップの軸の軸径よりも小さな口径の溝が形成されることを特徴とする請求項１に記載の電気通信ネットワークジャック。
【請求項３】
前記突起と圧接チップに設けられた軸は、相反性を具えて、相互を入れ替えて形成することもでき、即ち、突起を軸にして、圧接チップに突起を形成して組み合わせをすることもできることを特徴とする請求項１に記載の電気通信ネットワークジャック。